(57)【要約】【課題】  作業性が良好であり、強固に簡単に取り付け可能な紐止め具を提供する。【解決手段】  連結用の紐体１２の一端部を保持する第一保持部１４と、紐体１２の他端部を保持する第二保持部１６から成る。紐体１２は、第一保持部１４と第二保持部１６により環状に保持され、環状の内側に被保持物が囲まれて束ねられる。第一保持部１４または第二保持部１６には、紐体１２を保持する保持通路４０，５４が形成されたベース部１８，２２と、ベース部１８，２２に合掌状態で取り付けられ紐体１２を保持通路４０，５４に押し付けるカバー部２０，２４が設けられている。ベース部１８，２２には、その保持通路４０，５４の内周面に形成され、保持通路４０，５４の紐挿通方向の紐体１２の移動を阻止する挟持突起４２を備える。【選択図】      図１
2004166687.tif 000002
【特許請求の範囲】
【請求項１】
連結用の紐体の一端部を保持する第一保持部と、上記紐体の他端部を保持する第二保持部が設けられ、上記紐体は上記第一保持部と上記第二保持部により環状に保持され、環状の内側に被保持物が囲まれて束ねられる紐止め具において、上記第一保持部及び上記第二保持部には、上記紐体を保持する保持通路が形成されたベース部と、上記ベース部に合掌状態で取り付けられ上記紐体を上記保持通路に押し付けるカバー部と、上記ベース部の上記保持通路の内周面に形成され上記保持通路の紐挿通方向の上記紐体の移動を阻止する挟持突起が設けられていることを特徴とする紐止め具。
【請求項２】
上記挟持突起は、上記保持通路の挿通方向に対して互いに対称に斜めに形成され、上記保持通路の挿通方向に複数対形成されていることを特徴とする請求項１記載の紐止め具。
【請求項３】
上記カバー部には、上記ベース部との間に設けられた屈曲可能な連結部と、上記ベース部に合掌状態で係止される係合部と、上記カバー部を上記ベース部に係止した状態で、上記ベース部の上記保持通路と一致する位置に設けられ、上記保持通路に突出する押圧突起が設けられていることを特徴とする請求項１記載の紐止め具。
【請求項４】
上記ベース部には、上記紐体を屈曲させて保持する切り込み部を備えたことを特徴とする請求項１記載の紐止め具。
【請求項５】
上記ベース部の挟持突起の側縁には、微小な凸部が形成され、互いに対向する上記凸部は、上記紐体の挿通方向に対して斜めに傾斜した斜面を互いに対称に備え、一方向にのみ上記紐体が挿通して移動可能にする逆止構造に形成されていることを特徴とする請求項１または２記載の紐止め具。
【発明の詳細な説明】
【技術分野】
【０００１】
この発明は、果樹の枝を棚のワイヤーに係止するため等に用いられる紐を保持する紐止め具に関する。
【背景技術】
【０００２】
従来、例えば梨などの果樹枝は、春先に枝を棚のワイヤーに固定し、夏から秋に結実する果実の重みで枝が下がらないように保持している。そして、果実を収穫した後、枝をワイヤーから外している。従来、枝とワイヤーの固定は、枝とワイヤーが交差する部分を、紙製の紐で結び付けている。
【０００３】
しかし、例えば梨の樹は１本につき、枝とワイヤーを数百箇所結ばなければならず、紐を結ぶ度に労力と細かい作業が必要で、従業者の負担が大きかった。特に、この作業は、紐をリールに巻いたものを保持しながら、結び目を作って、紐を所定長さで切断する動作を繰り返さなければならず、作業性が良くなかった。
【０００４】
一方、簡単に枝をワイヤーに取り付けるものとして、特許文献１に開示されている園芸用クリップがある。園芸用クリップは、枝を挟持する一対の本体と、上記本体の一端部を互いに近づける方向へ付勢する弾性体と、上記本体の他端部に形成され互いに離れる方向に開いた操作部が設けられ、上記一対の本体には枝を挟む凹部が各々設けられている。この園芸用クリップの使用方法は、枝とワイヤーを一対の本体の凹部に挟み、弾性体の弾性力で保持するものである。
【特許文献１】特開２０００−１６６４００号公報
【発明の開示】
【発明が解決しようとする課題】
【０００５】
上記従来の技術の園芸用クリップは、弾性体の弾性力で枝とワイヤーを挟持するため、十分な取り付け強度が得られず、強風が吹くと外れる恐れがある。また、一本の果樹に数百箇所止めるためコストがかかるという問題がある。
【０００６】
この発明は上記従来の問題点に鑑みてなされたものであり、作業性が良好であり、強固に簡単に取り付け可能な紐止め具を提供することを目的とする。
【課題を解決するための手段】
【０００７】
この発明は、連結用の紐体の一端部を保持する第一保持部と、上記紐体の他端部を保持する第二保持部が設けられ、上記紐体は上記第一保持部と上記第二保持部により環状に保持され、環状の内側に被保持物が囲まれて束ねられる紐止め具であって、上記第一保持部及び上記第二保持部には、上記紐体を保持する保持通路が形成されたベース部と、上記ベース部に合掌状態で取り付けられ上記紐体を上記保持通路に押し付けるカバー部と、上記ベース部の上記保持通路の内周面に形成され上記保持通路の紐挿通方向の上記紐体の移動を阻止する挟持突起が設けられている紐止め具である。
【０００８】
また、上記挟持突起は、上記保持通路の挿通方向に対して互いに対称に斜めに形成され、上記保持通路の挿通方向に複数対形成されている。さらに、上記カバー部には、上記ベース部との間に設けられた屈曲可能な連結部と、上記ベース部に合掌状態で係止される係合部と、上記カバー部を上記ベース部に係止した状態で、上記ベース部の上記保持通路に一致する位置に設けられ、上記保持通路に突出する押圧突起が設けられている紐止め具である。上記ベース部には、上記紐体を屈曲させて保持する切り込み部を備えたものである。
【０００９】
また、上記ベース部の挟持突起の側縁には、微小な凸部が形成され、互いに対向する上記凸部は、上記紐体の挿通方向に対して斜めに傾斜した斜面を互いに対称に備え、一方向にのみ上記紐体が挿通して移動可能にする逆止構造に形成されている。さらに、互いに対向する挟持突起の上記凸部間の間隔は上記ベース部底部に向かって狭くなっている。
【発明の効果】
【００１０】
この発明の紐止め具は、簡単な構造で作業効率が良く、果樹の枝を棚のワイヤーに効率良く取り付けることができる。また、構造が簡単で、コストも安価である。
【発明を実施するための最良の形態】
【００１１】
以下、この発明の実施形態について図面に基づいて説明する。図１〜図４は、この発明の第一実施形態を示すものであり、この実施形態の紐止め具１０は、連結用の紐体１２の一方の端部１２ａを保持する第一保持部１４と、紐体１２の他方の端部１２ｂを保持する第二保持部１６が設けられている。
【００１２】
第一保持部１４には、ブロック体である第一ベース部１８と、第一ベース部１８に合掌状態で取り付けられる第一カバー部２０が設けられている。第二保持部１６には、ブロック体である第二ベース部２２と、第二ベース部材２２に合掌状態で取り付けられる第二カバー部２４が設けられている。
【００１３】
各ブロック体は図２に示すように、図面上左から、第一カバー部２０、第一ベース部１８、第二ベース部２２、第二カバー部２４の順で連結されている。第一ベース部１８と第一カバー部２０は、同じ大きさ形成され、連接方向に平行な端部１８ａ，２０ａは、後述する挟持突起２８の向きを知るために、第二ベース部２２と第二カバー部２４よりも外側に突出して設けられている。同様に、第二ベース部２２と第二カバー部２４は、同じ大きさに形成されている。
【００１４】
第一ベース部１８と第二ベース部２２は、連続して一体に設けられ、第一カバー部２０と第二カバー部２４が当接する平坦な当接面２６が連続して面一に設けられている。当接面２６の一端部は、第一ベース部１８の端部１８ａが、端部１８ａに連続する第二ベース部材２２の端部２２ａよりも外方に突出位置しているため、段差が生じている。
【００１５】
当接面２６の第一ベ―ス部１８と第二ベース部２２の境界付近、つまり当接面２６の中央付近には、後述する第一カバー部２０の係合突起５０と、第二カバー部２４の係合突起６２が係止される被係合部２８が設けられている。被係合部２８は、当接面２６と当接面２６の反対側の外側面３０を貫通する四角筒状の透孔３２が設けられている。透孔３２の第一ベース部１８側の内側面は、外側面３０に近い半分程度の部分が第一ベース部１８の内側に切り欠かれ、外側面３０に対して平行な面である段部３４が形成されている。透孔３２の第二ベース部２２側の内側面は、外側面３０に近い半分程度の部分が第二ベース部２２の内側に切り欠かれ、外側面３０対して平行な面である段部３６が形成されている。当接面２６の反対側の外側面３０には、第一ベ―ス部１８と第二ベース部２２の境界付近に第一ベ―ス部１８と第二ベース部２２を区分する溝部３８が形成されている。
【００１６】
第一ベース部１８には、当接面２６に、紐体１２を保持する保持通路４０が設けられている。保持通路４０は、第一ベース部１８のほぼ中心を通り溝部３８に対してほぼ平行に位置する半円筒状に設けられている。保持通路４０の内周面には、保持通路４０の挿通方向に対してほぼ直角に突出した挟持突起４２が設けられ、挟持突起４２は、保持通路４０の挿通方向に波状に連続して形成されている。挟持突起４２の先端部は鋭角に形成され、第一ベース部１８の端部１８ａ側に向かって斜めに突出している。
【００１７】
第一ベース部１８と第一カバー部２０の間には、第一ベース部１８と第一カバー部２０と同じ幅で当接面２６と面一に連続する薄肉の連結部４４が設けられている。第一カバー部２０は、連結部４４を折り曲げて第一ベース部１８に合掌状態に合わされるものであり、合掌状態で第一ベース部材１８の当接面２６に重ねられる当接面４６が、連結部４４と面一に連続して設けられている。第一カバー部２０には、当接面４６に、紐体１２を保持する保持通路４８が設けられている。保持通路４８は、第一カバー部２０を第一ベース部１８に合わせたときに第一ベース部１８の保持通路４０に一致する位置に設けられ、保持通路４０と同じ大きさの半円筒状に形成され、保持通路４０と同じ挟持突起４２が設けられている。
【００１８】
第一カバー部２０の、第一ベース部１８と反対側の端部２０ｂには、端部２０ｂの中心付近に、第一ベース部１８の被係合部２８に係止される係合突起５０が設けられている。係合突起５０は、当接面４６に対してほぼ直角に立ち上がる立上部５０ａと、立上部５０ａの先端から第一カバー部２０の当接面４６内側に向かう傾斜面５０ｂと、傾斜面５０ｂの、当接面４６側の先端部から上記立上部５０ａに連続し当接面４６に対してほぼ平行な平坦面５０ｃが形成されている。第一カバー部２０の係合突起５０の少し内側には、係合突起５０の平坦面５０ｃを形成する金型を抜き取るための透孔５２が形成されている。
【００１９】
第二ベース部２２には、当接面２６に、紐体１２を保持する保持通路５４が設けられている。保持通路５４は、第二ベース部２２のほぼ中心を通り溝部３８に対してほぼ平行に位置している。保持通路５４は第一ベース部材１８の保持通路４０と同じ大きさの半円柱状に形成され、保持通路４０と同じ挟持突起４２が設けられている。
【００２０】
第二ベース部２２と第二カバー部２４の間には、第二ベース部２２と第二カバー部２４と同じ幅で、第二ベース部材２２の当接面２６と面一に連続する薄肉の連結部５６が設けられている。第二カバー部２４は、連結部５６を折り曲げて第二ベース部２２に合掌状態に合わされるものであり、合掌状態で第二ベース部２２の当接面２６に重ねられる当接面５８が、連結部５６と面一に連続して設けられている。第二カバー部２４には、当接面５８に、紐体を保持する保持通路６０が設けられている。保持通路６０は、第二カバー部２４を第二ベース部２２に合わせたときに第二ベース部２２の保持通路５４に一致する位置に設けられ、保持通路５４と同じ大きさの半円筒状に形成され、保持通路５４と同じ挟持突起４２が設けられている。
【００２１】
第二カバー部２４の、第二ベース部２２と反対側の端部２４ｂには、端部２４ｂの中心付近に、第二ベース部２２の被係合部２８に係止される係合突起６２が設けられている。係合突起６２は、当接面５８に対してほぼ直角に立ち上がる立上部６２ａと、立上部６２ａの先端から第二カバー部２４の当接面５８内側に向かう傾斜面６２ｂと、傾斜面５８ｂの、当接面５８側の先端部から上記立上部６２ａに連続し当接面５８に対してほぼ平行な平坦面６２ｃが形成されている。第二カバー部２４の係合突起６２の少し内側には、係合突起６２の平坦面６２ｃを形成する金型を抜き取るための透孔６４が形成されている。
【００２２】
次に、この実施形態の紐止め具１０の使用方法について説明する。紐体１２はリールに巻いた長いものを端部から使用し、紐止め具１０を取り付けた状態で果樹枝６６に付け、締めた後切断する。この作業は、先ず、紐体１２の端部１２ａを第二保持部１６の第二ベース部２２の保持通路５４に合わせ、端部１２ａが第一保持部１４の突出している段部側に位置するように置き、連結部５６を折り曲げて第二カバー部２４を第二ベース部２２に重ね合わせる。このとき第二カバー部２４の係合突起６２は第二ベース部２２の被係合部２８に差し込まれ係合突起６２の平坦面６２ｃが被係合部２８の段部３６に当接し係止される。このように、第二ベース部２２の保持通路５４と第二カバー部２４の保持通路６０は一致して一つの筒状を形成し、紐体１２が挿通される。筒状となった一対の保持通路５４，６０の内径は、紐体１２の外径よりわずかに小さいものである。紐体１２の側面には挟持突起４２が押し付けられ、保持される。このときの紐体１２の向きは、挟持突起４２が紐体１２の端部１２ａに向いて斜めに突出するように取り付けられる。紐体１２の端部１２ａは、端部１２ａ側に引くときは円滑に移動し、反対側には挟持突起４２に食い込んで移動せず、確実に保持される。
【００２３】
次に、紐体１２を被保持物である果樹枝６６とワイヤー６８に一回巻き回し、連結用の紐体１２の他方の端部１２ｂが、第一保持部１４が突出している段部側に位置するようにして、第一保持部１４の第一ベース部１８の保持通路４０に位置するように置き、連結部４４を折り曲げて第一カバー部２０を第一ベース部１８に重ね合わせる。端部１２ｂは、切断されるまでは紐体１２のリール側である。このとき第一カバー部２０の係合突起５０が第一ベース部１８の被係合部２８に差し込まれ、まず係合突起５０は傾斜面５０ｂが当接面２６の透孔３２縁部に当接して弾性変形して押し広げられる。さらに第一カバー部２０が押し下げられると傾斜面５０ｂは透孔３２縁部を乗り越えて弾性変形が元に戻り、平坦面５０ｃが被係合部２８の段部３４に当接し係止される。このとき、第一ベース部１８の保持通路４０と第一カバー部２０の保持通路４８は一致して一つの筒状を形成し、紐体１２が挿通される。紐体１２の側面には挟持突起２８が押し付けられ、保持される。
【００２４】
この状態での紐体１２の向きは、挟持突起４２が紐体１２の端部１２ｂとなる側を向いて斜めに突出するように取り付けられる。挟持突起４２の向きは、第一ベース部１８と第一カバー部２０の端部１８ａ，２０ａが、第二保持部１６の端部よりも外側に突出していることにより判断する。これにより、紐体１２は端部１２ａ，１２ｂ側を引くときは円滑に移動し、紐体１２のループ側を引くときは挟持突起４２が紐体１２に食い込むため移動せず、確実に保持される。これにより紐体１２は環状になり、果樹枝６６やワイヤー６８の太さに合わせて端部１２ａ，１２ｂ側を適宜引いて輪の大きさを調整することができる。
【００２５】
また、図４（Ａ）、（Ｂ）に示すように果樹枝６６とワイヤー６８が離れたところでも、紐１２を長くすることにより、紐止め具１０で簡単に連結することができる。図４（Ａ）は、枝に紐体１２を掛けてワイヤー６８側で紐止め具１０により紐体１２の両端を保持するものである。図４（Ｂ）は、ワイヤー６８及び枝の各々に紐体１２の端部が位置し、各端部を紐止め具１０で各々保持する止め方である。
【００２６】
この実施形態の紐止め具１０によれば、簡単に紐体１２を環状に保持し、効率良く果樹枝６６とワイヤー６８を連結することができる。紐１２を縛る作業が不要で細かい作業がなく、作業効率が良く、作業者の負担を軽減することができる。また、第一保持部１４は、保持通路４０の挿通方向を知るマークとして、第一ベース部１８と第一カバー部の端部１８ａ，２０ａを、第二保持部１６よりも側方に突出して設けられているため、挿通方向を判断することができ、便利である。さらに、単純な構造であり、コストが安価である。
【００２７】
次に、この発明の第二実施形態の紐止め具を示すものであり、この実施形態の紐止め具７０は、連結用の紐体１２の一方の端部１２ａを保持する第一保持部１４と、紐体１２の他方の端部１２ｂを保持する第二保持部１６が一体のベース部７２を備えている。
【００２８】
ベース部７２には、ヒンジ部である薄肉の連結部７４を介して、合掌状態で取り付けられるカバー部７６が設けられている。ベース部７２とカバー部７６は、互いに対面する部位の輪郭が同じ大きさに形成されている。ベース部７２の連結部７４とは反対側の側縁部には、その中央付近にカバー部７６の被係合部７８に係止される係合部８０が設けられている。
【００２９】
ベース部７２には、紐体１２を保持する保持通路８２が、第一保持部１４と第二保持部１６に各々設けられている。保持通路８２は、第一保持部１４と第二保持部１６内に突設された複数対の挟持突起８４間に形成されている。挟持突起８４は、各々保持通路８２内での紐体１２の挿通方向に対して、互いに対称に斜めに延出して、略Ｖ字状の合掌状態で形成され、保持通路８２の挿通方向に複数対形成されている。挟持突起８４の傾斜方向は、図６に示すように、第一保持部１４と第二保持部１６で各々同方向に互いに近づくように形成するものと、第一保持部１４と第二保持部１６とで逆方向に形成するものでも良い。
【００３０】
さらに、ベース部７２には、紐体１２を底面側に屈曲させて保持する一対の切り込み部８６を備える。切り込み８６は、ベース部７２の側縁部が幅狭に形成され、底面側で幅広に形成され、紐体１２の保持を確実にしている。
【００３１】
ベース部７２に突設された略Ｖ字状の挟持突起８４の保持通路８２に向いた側縁には、互いに対向するように微小な凸部８８が各々形成されている。凸部８８は、挟持突起８４の傾斜方向に斜めに形成された斜面８８ａを有し、この斜面に沿って先端部へ向かう方向に紐体１２が挿通移動可能であるとともに、逆方向には紐体１２の移動を阻止するように、逆止弁の働きをする。さらに、互いに対向する挟持突起８４の間隔は、ベース部７２の底部に向かうに従い狭くなっている。
【００３２】
カバー部７６には、ベース部７２と合掌状態で係止した状態で、ベース部７２の保持通路８２に一致する位置に設けられ、保持通路８２に突出する押圧突起９０が複数設けられている。押圧突起９０の保持通路８２側の端面は、切り込み８６が形成された側に向かって僅かに突出量が多くなるように傾斜している。
【００３３】
この実施形態の紐止め具７０は、構造が簡単であり、紐体１２を複数対の挟持突起８４により挟持し、さらに、凸部８８が食い込んで紐体１２を保持し、斜面８８ａの傾斜方向にのみ紐体１２を移動可能に保持するので、紐体１２の長さの調節を容易にし、且つ紐体１２が弛むことがなく、しかも保持強度が高く、信頼性が高い。また、コストも安価に製造可能であり、大量に使用しても、果樹のコストアップにはつながらない。
【００３４】
なお、この発明の紐止め具は上記実施の形態に限定されるものではなく、各部材の形状は自由に変更可能である。例えば、紐体を保持する保持通路に設けられた挟持突起は、保持通路の内周面全周に設けられる以外に、挿通方向に一定幅で、凸部が形成されていない溝部が設けられても良い。この場合、溝部は排水口にもなる。そして、溝部は複数箇所に設けられても良い。保持通路の挿通方向の向きを知るマークは、着色や突起等自由に変更可能である。この紐止め具は、とうもろこし等を原料とする生分解プラスチックで作られていてもよい。これにより、破棄して地面に放置しても分解されて土に帰り、環境に与える影響が小さい。また、紙製の紐体を使用することにより、より環境に配慮したものとすることができる。
【図面の簡単な説明】
【００３５】
【図１】この発明の第一実施形態の紐止め具の、使用状態を示す斜視図である。
【図２】この実施形態の紐止め具の展開した状態を示す正面図である、
【図３】図２の上面図である。
【図４】この実施形体の紐止め具の、一使用状態を示す斜視図（Ａ）と他の使用状態を示す斜視図（Ｂ）である。
【図５】この発明の第二実施形態の紐止め具を展開した状態を示す平面図である。
【図６】この実施形態の紐止め具を展開した状態を示す正面図である。
【図７】この実施形態の紐止め具を展開した状態を示す正面図である。
【図８】この実施形態の紐止め具のカバー部の左側面図である。る。
【図９】この実施形態の紐止め具のベース部の右側面図である。
【図１０】図６のＡ−Ａ断面図である。
【図１１】この実施形態の紐止め具を閉じた状態を示す底面図である。
【符号の説明】
【００３６】
１０  紐止め具
１２  紐体
１４  第一保持部
１６  第二保持部
１８  第一ベース部
２０  第一カバー部
２２  第二ベース部
２４  第二カバー部
２６，４６，５８  当接面
２８  被係合部
３４，３６  段部
３８  溝部
４０，４８，５４，６０  保持通路
４２  挟持突起
４４，５６  連結部  
５０，６２  係合突起
５２，６４  透孔
【図１】
2004166687.tif 000003
【図２】
2004166687.tif 000004
【図３】
2004166687.tif 000005
【図４】
2004166687.tif 000006
【図５】
2004166687.tif 000007
【図６】
2004166687.tif 000008
【図７】
2004166687.tif 000009
【図８】
2004166687.tif 000010
【図９】
2004166687.tif 000011
【図１０】
2004166687.tif 000012
【図１１】
2004166687.tif 000013